(57)【要約】【課題】センサ本体を生体から抜去することなくセンサ本体以外の皮膚に対する貼付位置を変更することができる生体情報検出装置を提供する。【解決手段】生体情報検出装置１０Ａは、センサ部１２ａと検出部１４ａとを備える。センサ部１２ａは、生体情報に関連した測定信号を取得するセンサ本体１８と、センサ本体１８を支持するベース部２０ａとを有する。検出部１４ａは、ベース部２０ａに対して複数の向きで着脱可能なボディ４６ａと、ボディ４６ａを皮膚Ｓ１に貼付するための貼付部（第２貼付部４８）とを有する。【選択図】図１
2018126275.tif 000002
【特許請求の範囲】
【請求項１】
センサ本体が生体内に経皮的に挿入された状態で前記生体の皮膚に貼り付けられる生体情報検出装置において、
生体情報に関連した測定信号を取得する前記センサ本体と前記センサ本体を支持するベース部とを有するセンサ部と、
前記ベース部に着脱可能なボディと前記ボディを前記皮膚に貼付するための貼付部とを有する検出部と、を備え、
前記ボディは、前記ベース部に対して複数の向きで装着可能である、
ことを特徴とする生体情報検出装置。
【請求項２】
請求項１記載の生体情報検出装置において、
前記センサ部は、前記センサ本体に導通された第１接続部を有し、
前記検出部は、検出制御部と、前記検出制御部に導通された第２接続部を有し、
前記第１接続部と前記第２接続部とは、前記ボディを前記ベース部に装着した状態で互いに導通するように構成されている、
ことを特徴とする生体情報検出装置。
【請求項３】
請求項１又は２記載の生体情報検出装置において、
前記ボディは、前記貼付部における前記皮膚に対する貼付面に交差する方向に前記ベース部に対して着脱可能である、
ことを特徴とする生体情報検出装置。
【請求項４】
請求項２記載の生体情報検出装置において、
前記ボディは、前記ベース部の周方向に複数の向きで装着可能である、
ことを特徴とする生体情報検出装置。
【請求項５】
請求項４記載の生体情報検出装置において、
前記ベース部は、環状凸部を有し、
前記ボディには、前記環状凸部の周方向に複数の向きで嵌合可能な凹部が形成され、
前記第１接続部は前記環状凸部内に位置している、
ことを特徴とする生体情報検出装置。
【請求項６】
請求項４又は５に記載の生体情報検出装置において、
前記第１接続部は、周方向に延在した導電パターンを有し、
前記第２接続部は、前記ボディを前記ベース部に装着した状態で前記導電パターンに電気的に接触するプローブである、
ことを特徴とする生体情報検出装置。
【請求項７】
請求項２、４〜６のいずれか１項に記載の生体情報検出装置において、
前記ベース部に対する前記ボディの装着位置を検出する装着位置検出部をさらに備える、
ことを特徴とする生体情報検出装置。
【請求項８】
請求項７記載の生体情報検出装置において、
前記装着位置検出部は、
互いに電気的に絶縁するように前記ベース部に設けられた複数の第１位置検出導電部と、
前記ベース部に前記ボディが装着された状態で複数の前記第１位置検出導電部の１つに電気的に接触する第２位置検出導電部と、
各前記第１位置検出導電部と前記第１接続部とを結び互いに異なる電気抵抗値を有する複数の電気抵抗部と、を含み、
生体情報検出装置は、前記ベース部に前記ボディが装着された際に前記第２位置検出導電部が接触している前記第１位置検出導電部と前記第１接続部とを結ぶ前記電気抵抗部の電気抵抗値を検出することにより、前記ベース部に対する前記ボディの装着位置を判定する、
ことを特徴とする生体情報検出装置。
【請求項９】
請求項１〜８のいずれか１項に記載の生体情報検出装置において、
前記ベース部の少なくとも一部は、平面視で前記ベース部に対して前記ボディが装着された状態で前記ボディの外側に突出している、
ことを特徴とする生体情報検出装置。
【請求項１０】
請求項１又は２に記載の生体情報検出装置において、
前記ベース部は、
前記センサ本体が設けられたベース部本体と、
前記ベース部本体に対して回転可能に設けられた回転体と、
前記回転体に設けられて前記ボディが着脱可能な装着部と、を有する、
ことを特徴とする生体情報検出装置。
【請求項１１】
請求項２に従属する請求項１０記載の生体情報検出装置において、
前記ベース部は、
前記ベース部本体に設けられ、前記センサ本体に導通されて周方向に延在した中間パターンと、
前記回転体に設けられ、前記中間パターンと前記第１接続部とを互い導通させる中間プローブと、を有する、
ことを特徴とする生体情報検出装置。
【請求項１２】
請求項１０又は１１に記載の生体情報検出装置において、
前記ベース部は、前記回転体を所定角度回転させる毎にクリック音を発生させる音発生機構を有する、
ことを特徴とする生体情報検出装置。
【請求項１３】
請求項１０〜１２のいずれか１項に記載の生体情報検出装置において、
前記ベース部には、前記ベース部本体に対する前記回転体の周方向の一方側への回転を許容し、前記ベース部本体に対する前記回転体の周方向の他方側への回転を規制する回転規制部が設けられている、
ことを特徴とする生体情報検出装置。
【請求項１４】
請求項１記載の生体情報検出装置において、
前記ベース部は、
前記センサ本体が設けられたベース部本体と、
前記ベース部本体に設けられて前記ボディが着脱可能な複数の装着部と、を有する、
ことを特徴とする生体情報検出装置。
【発明の詳細な説明】
【技術分野】
【０００１】
本発明は、センサ本体が生体内に経皮的に挿入された状態で前記生体の皮膚に貼り付けられる生体情報検出装置に関する。
【背景技術】
【０００２】
従来、糖尿病の患者のグルコースを一定の間隔で継続的に測定する持続血糖測定（ＣＧＭ：Ｃｏｎｔｉｎｕｏｕｓ  Ｇｌｕｃｏｓｅ  Ｍｏｎｉｔｏｒｉｎｇ）が行われている。
【０００３】
このようなＣＧＭに関し、特許文献１では、生体内に経皮的に挿入されたセンサ電極を支持する取付けユニットと、取付けユニットのボディに着脱可能な電子機器ユニットとを備えたセンサシステムが提案されている。取付けユニットは、接着パッドによって生体の皮膚に接着され、電子機器ユニットは、取付けユニットに固定される。
【先行技術文献】
【特許文献】
【０００４】
【特許文献１】特許第５３０６５２１号公報
【発明の概要】
【発明が解決しようとする課題】
【０００５】
ところで、ＣＧＭでは、連続して一週間以上もの間グルコースを測定することがある。そのため、皮膚のうち生体情報検出装置が貼付されている部分が痒くなったり、かぶれたりすることがある。
【０００６】
上述した特許文献１のようなセンサシステム（生体情報検出装置）では、電子機器ユニットが皮膚に接着されることなく取付けユニットに装着される構成であるため、取付けユニットの接着パッドが比較的大きい。
【０００７】
また、前記センサシステムでは、皮膚が痒くなって接着パッドの位置を変更したい場合には、生体から電極を抜去する必要がある。そのため、接着パッドの位置を変更したい場合には、装着中の接着パッドを剥がした後に、電極を経皮的に生体内に再挿入しなければならず、患者への負担（苦痛）が大きい。さらに、前記センサシステムは、電極を生体から抜去すると、新たなセンサ電極への交換が必要な構成となっている。
【０００８】
本発明は、このような課題を考慮してなされたものであり、センサ本体を生体から抜去することなく、センサ本体以外の皮膚に対する貼付位置を変更することができる生体情報検出装置を提供することを目的とする。
【課題を解決するための手段】
【０００９】
上記目的を達成するために、本発明に係る生体情報検出装置は、センサ本体が生体内に経皮的に挿入された状態で前記生体の皮膚に貼り付けられる生体情報検出装置において、生体情報に関連した測定信号を取得する前記センサ本体と前記センサ本体を支持するベース部とを有するセンサ部と、前記ベース部に着脱可能なボディと前記ボディを前記皮膚に貼付するための貼付部とを有する検出部と、を備え、前記ボディは、前記ベース部に対して複数の向きで装着可能であることを特徴とする。
【００１０】
このような構成によれば、ボディをベース部から取り外すとともにボディ貼付部を皮膚から外した後、ベース部に対するボディの向きを変えた状態でベース部にボディを再装着するとともに貼付部を皮膚に再貼付することができる。これにより、センサ本体を生体から抜去することなく皮膚に対する貼付部の貼付位置を変更することができる。従って、皮膚かぶれを効果的に抑えることができるとともに患者の負担（苦痛）を軽減することができる。また、新たなセンサ本体に交換する必要がない。
【００１１】
上記の生体情報検出装置において、前記センサ部は、前記センサ本体に導通された第１接続部を有し、前記検出部は、検出制御部と、前記検出制御部に導通された第２接続部を有し、前記第１接続部と前記第２接続部とは、前記ボディを前記ベース部に装着した状態で互いに導通するように構成されていてもよい。
【００１２】
このような構成によれば、ベース部に対するボディの向きを変えた状態でベース部にボディを再装着したとき、第１接続部と第２接続部とが互いに導通するため、センサ本体によって取得された電気信号を検出制御部に確実に伝達することができる。
【００１３】
上記の生体情報検出装置において、前記ボディは、前記貼付部における前記皮膚に対する貼付面に交差する方向に前記ベース部に対して着脱可能であってもよい。
【００１４】
このような構成によれば、皮膚に対して貼付部を貼付したり剥がしたりし易い方向にボディをベース部に対して着脱することができる。
【００１５】
上記の生体情報検出装置において、前記ボディは、前記ベース部の周方向に複数の向きで装着可能であってもよい。
【００１６】
このような構成によれば、皮膚に対する貼付部の貼付位置を効率的に変更することができる。
【００１７】
上記の生体情報検出装置において、前記ベース部は、環状凸部を有し、前記ボディには、前記環状凸部の周方向に複数の向きで嵌合可能な凹部が形成され、前記第１接続部は前記環状凸部内に位置していてもよい。
【００１８】
このような構成によれば、環状凸部が凹部に嵌合した状態で第１接続部に異物が付着することを抑えることができる。
【００１９】
上記の生体情報検出装置において、前記第１接続部は、周方向に延在した導電パターンを有し、前記第２接続部は、前記ボディを前記ベース部に装着した状態で前記導電パターンに電気的に接触するプローブであってもよい。
【００２０】
このような構成によれば、簡易な構成により、ボディをベース部の周方向に向きを変えて装着した場合でも、確実に第１接続部と第２接続部とを互いに導通させることができる。
【００２１】
上記の生体情報検出装置において、前記ベース部に対する前記ボディの装着位置を検出する装着位置検出部をさらに備えてもよい。
【００２２】
このような構成によれば、ベース部に対してボディを装着した際に、既に装着された位置であるか否かをユーザに知らせることができる。これにより、ユーザは、皮膚に対する貼付部の貼付位置を効率的に変更することができる。
【００２３】
上記の生体情報検出装置において、前記装着位置検出部は、互いに電気的に絶縁するように前記ベース部に設けられた複数の第１位置検出導電部と、前記ベース部に前記ボディが装着された状態で複数の前記第１位置検出導電部の１つに電気的に接触する第２位置検出導電部と、各前記第１位置検出導電部と前記第１接続部とを結び互いに異なる電気抵抗値を有する複数の電気抵抗部と、を含み、生体情報検出装置は、前記ベース部に前記ボディが装着された際に前記第２位置検出導電部が接触している前記第１位置検出導電部と前記第１接続部とを結ぶ前記電気抵抗部の電気抵抗値を検出することにより、前記ベース部に対する前記ボディの装着位置を判定してもよい。
【００２４】
このような構成によれば、簡易な構成により、ベース部に対するボディの装着位置を確実に検出することができる。
【００２５】
上記の生体情報検出装置において、前記ベース部の少なくとも一部は、平面視で前記ベース部に対して前記ボディが装着された状態で前記ボディの外側に突出していてもよい。
【００２６】
このような構成によれば、ベース部のうちボディの外側に突出している部分を押さえながらボディをベース部から容易に取り外すことができる。
【００２７】
上記の生体情報検出装置において、前記ベース部は、前記センサ本体が設けられたベース部本体と、前記ベース部本体に対して回転可能に設けられた回転体と、前記回転体に設けられて前記ボディが着脱可能な装着部と、を有してもよい。
【００２８】
このような構成によれば、回転体をベース部本体に対して周方向に回転させることにより、装着部に装着されたボディの向きを容易に変更することができる。
【００２９】
上記の生体情報検出装置において、前記ベース部は、前記ベース部本体に設けられ、前記センサ本体に導通されて周方向に延在した中間パターンと、前記回転体に設けられ、前記中間パターンと前記第１接続部とを互い導通させる中間プローブと、を有してもよい。
【００３０】
このような構成によれば、簡易な構成により、回転体をベース部本体に対して回転させた場合でも、センサ本体と第２接続部とを第１接続部を介して互いに導通させることができる。
【００３１】
上記の生体情報検出装置において、前記ベース部は、前記回転体を所定角度回転させる毎にクリック音を発生させる音発生機構を有していてもよい。
【００３２】
このような構成によれば、ユーザは、回転体（装着部）がベース部本体の周方向に所定角度だけ回転したことを容易且つ確実に知ることができる。
【００３３】
上記の生体情報検出装置において、前記ベース部には、前記ベース部本体に対する前記回転体の周方向の一方側への回転を許容し、前記ベース部本体に対する前記回転体の周方向の他方側への回転を規制する回転規制部が設けられていてもよい。
【００３４】
このような構成によれば、ベース部本体に対してボディは回転体の周方向の一方側にずれることになるため、皮膚に対する貼付部の貼付位置を効率的にずらすことができる。
【００３５】
上記の生体情報検出装置において、前記ベース部は、前記センサ本体が設けられたベース部本体と、前記ベース部本体に設けられて前記ボディが着脱可能な複数の装着部と、を有していてもよい。
【００３６】
このような構成によれば、ユーザは、複数の装着部からボディを装着する装着部を選択することができる。これにより、ベース部に対して複数の向きでボディを装着することができる。
【発明の効果】
【００３７】
本発明によれば、ボディをベース部から取り外すとともにボディを皮膚に貼付している貼付部を皮膚から外した後、ベース部に対するボディの向きを変えた状態でベース部にボディを再装着するとともに貼付部を皮膚に再貼付することができる。これにより、センサ本体を生体内から抜去することなく皮膚に対する貼付位置を変更することができる
【図面の簡単な説明】
【００３８】
【図１】本発明の第１実施形態に係る生体情報検出装置の模式的断面図である。
【図２】図１の生体情報検出装置のブロック図である。
【図３】図１の生体情報検出装置においてセンサ部に検出部を装着した状態を示す模式的断面図である。
【図４】図３の平面図である。
【図５】本発明の第２実施形態に係る生体情報検出装置の模式的断面図である。
【図６】図５に示すセンサ部の平面図である。
【図７】図５の生体情報検出装置においてセンサ部に検出部を装着した状態を示す模式的断面図である。
【図８】図５の生体情報検出装置の変形例を示す模式的断面図である。
【図９】図８に示すセンサ部の平面図である。
【図１０】本発明の第３実施形態に係る生体情報検出装置の模式的断面図である。
【図１１】図１０のＸＩ−ＸＩ線に沿った横断面図である。
【図１２】図１０の生体情報検出装置においてセンサ部に検出部を装着した状態を示す模式的断面図である。
【図１３】図１２の平面図である。
【図１４】図１０の生体情報検出装置の変形例を示す模式的断面説明図である。
【図１５】本発明の第４実施形態に係る生体情報検出装置の模式的断面図である。
【図１６】図１５に示すセンサ部の平面図である。
【図１７】図１５のセンサ部に検出部を装着した状態の平面図である。
【図１８】図１５の生体情報検出装置の第１変形例を示す平面説明図である。
【図１９】図１９Ａは図１５の生体情報検出装置の第２変形例を示す第１の平面説明図であり、図１９Ｂは前記第２変形例の第２の平面説明図である。
【発明を実施するための形態】
【００３９】
以下、本発明に係る生体情報検出装置について好適な実施形態を挙げ、添付の図面を参照しながら説明する。
【００４０】
本発明に係る生体情報検出装置は、皮下組織の間質液中のグルコース成分を持続的（リアルタイム）に測定する持続血糖測定装置（ＣＧＭ）として構成されている。ただし、生体情報検出装置は、間質液中のグルコース以外の生体情報を測定するものであってもよい。
【００４１】
（第１実施形態）
本実施形態に係る生体情報検出装置１０Ａは、センサ本体１８が生体Ｂ内に経皮的に挿入された状態で生体Ｂの皮膚Ｓ１に貼り付けられる（図３参照）。図１及び図２に示すように、生体情報検出装置１０Ａは、生体情報を取得するセンサ部１２ａと、センサ部１２ａに着脱可能な検出部１４ａと、レシーバ１６（図２参照）とを備える。
【００４２】
図１において、センサ部１２ａは、使い捨てのディスポーサブル部材である。生体Ｂ内に経皮的に挿入されて生体情報に関連した測定信号を取得するセンサ本体１８と、センサ本体１８を支持するベース部２０ａと、ベース部２０ａに固定された穿刺針２２と、ベース部２０ａを皮膚Ｓ１に貼付するための第１貼付部２４と、センサ本体１８に導通された第１接続部２６ａとを有する。
【００４３】
センサ本体１８は、生体内のグルコース成分を検出するセンサである。センサ本体１８が、電気化学方式によってグルコース成分を検出するセンサの場合、作用電極としての第１電極２８と、参照電極としての第２電極３０とを有する。
【００４４】
第１電極２８には、グルコース成分と反応するセンサ試薬（例えば、グルコースオキシターゼ酵素及びその変異体、フェニルボロン酸化合物、レクチン）がコーティング等によって設けられている。第１電極２８及び第２電極３０のそれぞれは、白金、白金−イリジウム、パラジウム、グラファイト、金、カーボン、導電性ポリマー等の導電性材料によって構成される。
【００４５】
センサ本体１８は、３つ以上の電極を有していてもよい。また、センサ本体１８は、光学方式によってグルコース成分を検出する蛍光センサであってもよく、光学信号を電気信号に変換することで測定信号とすることができる。
【００４６】
穿刺針２２は、金属材料によって中空状に構成されている。穿刺針２２の内腔には、第１電極２８と第２電極３０とが穿刺針２２の長手方向に沿って延在するとともに互いに離間した状態で配設されている。第１電極２８の先端及び第２電極３０の先端は、穿刺針２２の内腔に位置している。
【００４７】
ベース部２０ａは、第１貼付部２４が設けられた支持板３２と、支持板３２に設けられた環状凸部３４とを有している。支持板３２は、絶縁性を有する樹脂材料によって平面視で円形状に形成されている。支持板３２の底面には、第１貼付部２４が設けられている。第１貼付部２４は、両面に接着面を持つ、いわゆる両面テープとして構成されている。支持板３２の底面の略中央には、穿刺針２２の基端部が固定されている。
【００４８】
環状凸部３４は、円環状に構成されており、支持板３２の上面から突出している。環状凸部３４の外周面には、シール部材３６を装着する環状溝３８が形成されている。
【００４９】
第１接続部２６ａは、穿刺針２２及び環状凸部３４と同軸に設けられている。第１接続部２６ａは、環状凸部３４内に位置し、穿刺針２２の延在方向に沿って環状凸部３４の突出長よりも長く棒状に延在している。第１接続部２６ａは、支持板３２の上面の略中央から突出するように設けられた第１導体部４０ａと、第１導体部４０ａの突出端部に絶縁部４２を介して設けられた第２導体部４４ａとを含む。
【００５０】
第１導体部４０ａは、導電性部材によって円筒状に構成されている。第１導体部４０ａの内周面には、第１電極２８が導通している。絶縁部４２は、樹脂材料によって円環状に構成されている。第２導体部４４ａは、導電性部材によって円筒状に構成されている。第２導体部４４ａの内周面には、第２電極３０が導通している。第１導体部４０ａと第２導体部４４ａとは、絶縁部４２によって互いに絶縁されている。第１導体部４０ａ及び第２導体部４４ａのそれぞれを構成する導電性材料としては、例えばニッケル等でめっきされた、高い導電率を有する黄銅等の金属が用いられる。
【００５１】
検出部１４ａは、繰り返し利用することが可能なリユース部材で、皮膚Ｓ１の上に貼付される。検出部１４ａは、ベース部２０ａに着脱可能なボディ４６ａと、ボディ４６ａを皮膚Ｓ１に貼付するための第２貼付部４８と、ボディ４６ａに設けられ、ボディ４６ａがベース部２０ａに装着された状態で第１接続部２６ａに導通する第２接続部５０ａと、バッテリ５２と、第２接続部５０ａに導通された検出制御部５４とを有する。
【００５２】
ボディ４６ａは、例えば、直方体形状に構成された筐体（ハウジング）である。ボディ４６ａの底面の少なくとも一部には、第２貼付部４８が設けられている。第２貼付部４８は、いわゆる両面テープとして構成されており、皮膚Ｓ１に対して着脱可能である。
【００５３】
ボディ４６ａの底面には、環状凸部３４が嵌合可能な円形状の凹部５６が形成されている。すなわち、ボディ４６ａは、第２貼付部４８の皮膚Ｓ１に対する貼付面に直交（交差）する方向からからベース部２０ａに対して装着可能である。環状凸部３４が凹部５６に嵌入された状態で、環状凸部３４の外周面と凹部５６を構成する内周面との間は、シール部材３６によって液密及び気密にシールされる。
【００５４】
第２接続部５０ａは、凹部５６を構成する底面の中央に設けられている。第２接続部５０ａは、絶縁性を有する樹脂材料によって円筒状に構成された筒体５８の内周面に設けられた第３導体部６０ａと第４導体部６２ａとを有する。筒体５８は、検出制御部５４に設けられている。筒体５８の内腔には、第１接続部２６ａが挿入可能である。
【００５５】
第３導体部６０ａは、金属等の導電性材料によって構成されており、筒体５８の内腔に第１接続部２６ａが挿入された状態で第１導体部４０ａに導通する（図３参照）。第３導体部６０ａは、筒体５８の壁部内を通って検出制御部５４に導通されている。本実施形態において、第３導体部６０ａは筒体５８の内周面に部分的に露出する構成としているが、筒体５８の内腔に第１接続部２６ａが挿入された状態で第１導体部４０ａに導通可能であれば任意の形状を採用し得る。
【００５６】
第４導体部６２ａは、金属等の導電性材料によって構成されており、筒体５８の内腔に第１接続部２６ａが挿入された状態で第２導体部４４ａに導通する（図３参照）。第４導体部６２ａは、筒体５８の壁部内を通って制御部に導通されている。本実施形態において、第４導体部６２ａは筒体５８の内周面に部分的に露出する構成としているが、筒体５８の内腔に第１接続部２６ａが挿入された状態で第２導体部４４ａに導通可能であれば任意の形状を採用し得る。第３導体部６０ａと第４導体部６２ａとは、互いに絶縁されている。
【００５７】
つまり、第１接続部２６ａと第２接続部５０ａとは、環状凸部３４の周方向に対するボディ４６ａの位置に関係なく、互いに導通する。換言すれば、第１接続部２６ａと第２接続部５０ａとは、ベース部２０ａに対するボディ４６ａの位置を周方向にずらしても互いに導通する。
【００５８】
バッテリ５２は、ボディ４６ａ内に図示しない支持部材によって支持されている。バッテリ５２は、一次電池又は二次電池として構成されている。検出制御部５４は、制御基板として構成されており、ボディ４６ａ内に固定部材６４によって固定されている。
【００５９】
図２に示すように、検出制御部５４は、マイクロコンピュータを含む計算機であり、ＣＰＵ（中央処理装置）、メモリ６６であるＲＯＭ（リードオンメモリ）、ＲＡＭ（ランダムアクセスメモリ）、Ａ／Ｄ変換器、第１送受信部６８等を有しており、ＣＰＵがＲＯＭに記憶されているプログラムを読み出し実行することで各種機能実現部（機能実現手段）、例えば、演算部及び処理部等として機能する。具体的には、検出制御部５４は、センサ本体１８が取得した測定信号検出し、グルコース成分を測定する成分測定部７０を有する。第１送受信部６８は、レシーバ１６の第２送受信部８４との間で無線通信する。つまり、第１送受信部６８は、成分測定部７０によって測定された成分測定情報を第２送受信部８４に無線送信する。
【００６０】
レシーバ１６は、レシーバ制御部７２、表示部７４、入力部７６、スピーカ７８、レシーババッテリ８０等を備える。レシーバ制御部７２は、マイクロコンピュータを含む計算機であり、ＣＰＵ（中央処理装置）、メモリ８２であるＲＯＭ（リードオンメモリ）、ＲＡＭ（ランダムアクセスメモリ）、第２送受信部８４等を有しており、ＣＰＵがＲＯＭに記憶されているプログラムを読み出し実行することで各種機能実現部（機能実現手段）、例えば、演算部及び処理部等として機能する。具体的には、レシーバ制御部７２は、第２送受信部８４が受信した成分測定情報に基づいて血糖値を演算する血糖値演算部８６を有する。また、これらと同等の機能を発揮できれば、レシーバ１６として、携帯電話やスマートフォン等の端末を用いることができる。レシーバ１６を用いない場合、検出部１４は、表示部７４、入力部７６、スピーカ７８等を有してもよい。この場合、検出制御部５４は、血糖値演算部８６等をさらに有する。
【００６１】
表示部７４は、血糖値演算部８６によって演算された血糖値を表示する。入力部７６は、ユーザが手指で操作可能なボタン等として構成される。スピーカ７８は、例えば、血糖値演算部８６によって演算された血糖値が予め設定された値より高かったり低かったりした場合にアラーム音を出力する。レシーババッテリ８０は、一次電池又は二次電池として構成される。
【００６２】
本実施形態に係る生体情報検出装置１０Ａは、基本的には以上のように構成されるものであって、次に、その使用方法について説明する。
【００６３】
生体情報検出装置１０Ａを使用する場合、図１に示すように、検出部１４ａが取り外された状態のセンサ部１２ａの穿刺針２２を経皮的に上腕や腹部等の取り付け対象部位である皮膚Ｓ１に挿入し、第１貼付部２４を皮膚Ｓ１に貼付させる。これにより、穿刺針２２とセンサ本体１８が皮下組織Ｓ２内に留置されることとなる。つまり、センサ本体１８が皮下組織Ｓ２内の間質液に接触する。
【００６４】
その後、図３に示すように、検出部１４ａをセンサ部１２ａに対して装着する。具体的には、ベース部２０ａの環状凸部３４にボディ４６ａの凹部５６を嵌入させ、第２貼付部４８を皮膚Ｓ１に貼付させる。これにより、第１導体部４０ａと第３導体部６０ａとが互いに接触することにより導通され、第２導体部４４ａと第４導体部６２ａとが互いに接触することにより導通される。
【００６５】
間質液中のグルコースは、第１電極２８に設けられたセンサ試薬と反応する。成分測定部７０は、第１電極２８及び第２電極３０に電圧を印加してグルコース濃度に応じた電子量（電流量）を計測し、成分測定情報としてメモリ６６に記憶する。また、検出制御部５４は、定期的又はレシーバ１６からの要求を受けた際にメモリ６６の成分測定情報をレシーバ１６に無線送信する。レシーバ１６では、血糖値演算部８６が受信した成分測定情報に基づいて血糖値を演算し、レシーバ制御部７２が演算された血糖値を表示部７４に表示させる。
【００６６】
次に、本実施形態の作用効果について以下に説明する。
【００６７】
ところで、このような生体情報検出装置１０Ａを用いて、比較的長期間（例えば、一週間）、センサ部１２ａ及び検出部１４ａを皮膚Ｓ１に対して取り付けた状態で血糖値を持続的に測定する場合、例えば、皮膚Ｓ１のうち第２貼付部４８が貼付している部分が痒くなることがある。
【００６８】
ボディ４６ａは、ベース部２０ａに対して複数の向きで装着可能であり、第１接続部２６ａと第２接続部５０ａとは、ボディ４６ａをベース部２０ａに装着した状態で互いに導通するように構成されている。そのため、ボディ４６ａをベース部２０ａから取り外すとともに第２貼付部４８を皮膚Ｓ１から外した後、ベース部２０ａに対するボディ４６ａの向きを変えた状態でベース部２０ａにボディ４６ａを再装着するとともに第２貼付部４８を皮膚Ｓ１に再貼付することができる。すなわち、図４に示すように、ベース部２０ａから取り外したボディ４６ａを環状凸部３４の周方向に所定角度（例えば、９０°）回転させた状態でベース部２０ａに再装着することができる。
【００６９】
この際、図３に示すように、第１接続部２６ａと第２接続部５０ａとが互いに導通するため、センサ本体１８によって取得された電気信号を検出制御部５４に確実に伝達することができる。これにより、センサ本体１８を生体Ｂから抜去することなく皮膚Ｓ１に対する第２貼付部４８の貼付位置を変更することができる。従って、皮膚かぶれを効果的に抑えることができるとともに患者の負担（苦痛）を軽減することができる。また、新たなセンサ本体１８に交換する必要がない。さらに、センサ部１２ａと、検出部１４ａと、をそれぞれ別々に皮膚Ｓ１に固定する構成となっているので、第１貼付部２４の面積を第２貼付部４８の面積よりも小さくすることができる。すなわち、長期間に渡って皮膚に貼付されるのが好ましい第１貼付部２４の面積を小さくできる。
【００７０】
ボディ４６ａは、第２貼付部４８における皮膚Ｓ１に対する貼付面に交差する方向にベース部２０ａに対して着脱可能である。これにより、皮膚Ｓ１に対して第２貼付部４８を着脱し易い方向にボディ４６ａをベース部２０ａに対して着脱することができる。
【００７１】
ボディ４６ａは、ベース部２０ａの周方向に複数の向きで装着可能であるため、皮膚Ｓ１に対する第２貼付部４８の貼付位置を効率的に変更することができる。
【００７２】
ベース部２０ａの環状凸部３４がボディ４６ａの凹部５６に嵌合し、第１接続部２６ａが環状凸部３４内に位置しているため、環状凸部３４が凹部５６に嵌合した状態で第１接続部２６ａに異物が付着することを抑えることができる。
【００７３】
ベース部２０ａの少なくとも一部は、平面視でベース部２０ａに対してボディ４６ａが装着された状態でボディ４６ａの外側に突出している（図４参照）。そのため、ベース部２０ａのうちボディ４６ａの外側に突出している部分を押さえながらボディ４６ａをベース部２０ａから容易に取り外すことができる。
【００７４】
（第２実施形態）
次に、本発明の第２実施形態に係る生体情報検出装置１０Ｂについて説明する。なお、第２実施形態に係る生体情報検出装置１０Ｂにおいて、上述した実施形態で説明した構成要素と同一の構成要素には同一の参照符号を付し、その詳細な説明は省略する。後述する第３及び第４実施形態についても同様である。
【００７５】
図５及び図６に示すように、生体情報検出装置１０Ｂは、センサ部１２ｂ、検出部１４ｂ及びレシーバ１６（図２参照）を備える。センサ部１２ｂは、センサ本体１８、ベース部２０ａ、穿刺針２２、第１貼付部２４及び第１接続部２６ｂを有する。第１接続部２６ｂは、支持板３２の上面に設けられた第１導電パターン４０ｂ及び第２導電パターン４４ｂを含む。
【００７６】
第１導電パターン４０ｂは、環状凸部３４内に円形状に形成され、第２導電パターン４４ｂは、第１導電パターン４０ｂの外周側に同心円形状に形成されている。第１導電パターン４０ｂと第２導電パターン４４ｂとは、周方向に延在しており、互いに離間することにより電気的に絶縁されている。
【００７７】
第１導電パターン４０ｂには、支持板３２の壁部内を延在する第１電極２８が導通されている。第２導電パターン４４ｂには、支持板３２の壁部内を延在する第２電極３０が導通されている。
【００７８】
図５において、検出部１４ｂは、ボディ４６ａ、第２貼付部４８、第２接続部５０ｂ、バッテリ５２及び検出制御部５４を有する。第２接続部５０ｂは、ボディ４６ａをベース部２０ａに装着した状態で第１導電パターン４０ｂに電気的に接触する第１プローブ６０ｂと、ボディ４６ａをベース部２０ａに装着した状態で第２導電パターン４４ｂに電気的に接触する第２プローブ６２ｂと、を含む。
【００７９】
第１プローブ６０ｂは、検出制御部５４からボディ４６ａの凹部５６内に突出するように設けられている。第１プローブ６０ｂは、支持板３２の厚み方向に伸縮可能なスプリングプローブとして構成されており、ボディ４６ａがベース部２０ａに装着された状態で第１導電パターン４０ｂを第１貼付部２４側に押圧（付勢）するスプリング９６を有する。第１プローブ６０ｂのうち第１導電パターン４０ｂに接触する端面は、湾曲面になっている。
【００８０】
第２プローブ６２ｂは、検出制御部５４からボディ４６ａの凹部５６内に突出するように設けられ、第１プローブ６０ｂに対して離間している。第２プローブ６２ｂは、支持板３２の厚み方向に伸縮可能なスプリングプローブとして構成されており、ボディ４６ａがベース部２０ａに装着された状態で第２導電パターン４４ｂを第１貼付部２４側に押圧（付勢）するスプリング９８を有する。第２プローブ６２ｂのうち第２導電パターン４４ｂに接触する端面は、湾曲面になっている。
【００８１】
次に、本実施形態の作用効果について以下に説明する。
【００８２】
ベース部２０ａから取り外したボディ４６ａを環状凸部３４の周方向に所定角度（例えば、９０°）回転させた状態でベース部２０ａに再装着することができる。この際、図７に示すように、第１導電パターン４０ｂと第１プローブ６０ｂとが互いに導通するとともに第２導電パターン４４ｂと第２プローブ６２ｂとが互いに導通するため、センサ本体１８によって取得された電気信号を検出制御部５４に確実に伝達することができる。よって、センサ本体１８を生体Ｂから抜去することなく皮膚Ｓ１に対する第２貼付部４８の貼付位置を変更することができる。
【００８３】
第１プローブ６０ｂ及び第２プローブ６２ｂのそれぞれは、ボディ４６ａが支持板３２に装着された状態で第１導電パターン４０ｂ及び第２導電パターン４４ｂをそれぞれ押圧するスプリングプローブとして構成されている。そのため、ボディ４６ａをベース部２０ａに装着した状態で、第１プローブ６０ｂを第１導電パターン４０ｂに確実に接触させることができるとともに第２プローブ６２ｂを第２導電パターン４４ｂに確実に接触させることができる。
【００８４】
図６に示すように、第１導電パターン４０ｂは、円形状に形成され、第２導電パターン４４ｂは、第１導電パターン４０ｂの外周側に同心円形状に形成されている。そのため、ボディ４６ａをベース部２０ａに対して環状凸部３４の軸線回りの任意の位置に回転させた場合であっても、確実に、第１導電パターン４０ｂと第１プローブ６０ｂとを互いに導通させることができるとともに第２導電パターン４４ｂと第２プローブ６２ｂとを互いに導通させることができる。
【００８５】
（変形例）
次に、本実施形態に係る生体情報検出装置１０Ｂの変形例について説明する。図８及び図９に示すように、変形例に係る生体情報検出装置１０Ｂは、ベース部２０ａに対するボディ４６ａの装着位置を検出する装着位置検出部１００ａを備えてもよい。装着位置検出部１００ａは、支持板３２における第１導電パターン４０ｂの内側に設けられた複数（図９では４つ）の第１位置検出導電部１０２ａと、各第１位置検出導電部１０２ａと第１導電パターン４０ｂとを結ぶ４つの電気抵抗部１０４ａと、ボディ４６ａがベース部２０ａに装着された状態で複数の第１位置検出導電部１０２ａの１つに電気的に接触する第２位置検出導電部１０６ａとを有する。
【００８６】
４つの第１位置検出導電部１０２ａは、環状凸部３４の周方向に等間隔に設けられた導電パターンであって、互いに離間することにより電気的に絶縁されている。各第１位置検出導電部１０２ａは、環状凸部３４の周方向に沿って円弧状に延在している。複数（図９では４つ）の電気抵抗部１０４ａは、互いに異なる電気抵抗値を有している。第２位置検出導電部１０６ａは、検出制御部５４に導通されたスプリングプローブであって、第１プローブ６０ｂと同様に構成されている。つまり、第２位置検出導電部１０６ａは、スプリング１０８を有する。
【００８７】
検出制御部５４は、ベース部２０ａにボディ４６ａが装着された際に、位置検出プローブが接触している第１位置検出導電部１０２ａと第１導電パターン４０ｂとを結ぶ電気抵抗部１０４ａの電気抵抗値を検出することにより、ベース部２０ａに対するボディ４６ａの装着位置を判定する。そして、ボディ４６ａの装着位置情報は、検出制御部５４からレシーバ制御部７２に無線送信され、レシーバ制御部７２は、レシーバ１６の表示部７４にボディ４６ａの位置情報を表示させる。この際、レシーバ制御部７２は、今回のボディ４６ａの装着位置が以前に装着したことがある装着位置であった場合、その旨を表示部７４に表示したりスピーカ７８から音を出したりすることによりユーザに注意喚起してもよい。
【００８８】
次に、本変形例の作用効果について以下に説明する。
【００８９】
本変形例によれば、装着位置検出部１００ａを備えるため、ベース部２０ａに対してボディ４６ａを装着した際に、既に装着された位置であるか否かをユーザに知らせることができる。これにより、ユーザは、皮膚Ｓ１に対する第２貼付部４８の貼付位置を効率的に変更することができる。
【００９０】
生体情報検出装置１０Ｂは、ベース部２０ａにボディ４６ａが装着された際に第２位置検出導電部１０６ａが接触している第１位置検出導電部１０２ａと第１導電パターン４０ｂとを結ぶ電気抵抗部１０４ａの電気抵抗値を検出することにより、ベース部２０ａに対するボディ４６ａの装着位置を判定している。そのため、ユーザは、簡易な構成により、ベース部２０ａに対するボディ４６ａの装着位置を確実に検出することができる。
【００９１】
本変形例は、上述した形態に限定されない。例えば、検出制御部５４は、ベース部２０ａにボディ４６ａが装着された際に第２位置検出導電部１０６ａが接触している第１位置検出導電部１０２ａと第１導電パターン４０ｂとの間の電気抵抗部１０４ａの電気抵抗値を検出し、その検出結果をレシーバ制御部７２に無線送信し、レシーバ制御部７２がベース部２０ａに対するボディ４６ａの装着位置を判定してもよい。
【００９２】
（第３実施形態）
次に、本発明の第３実施形態に係る生体情報検出装置１０Ｃについて説明する。図１０及び図１１に示すように、本実施形態に係る生体情報検出装置１０Ｃは、センサ部１２ｃ、検出部１４ｃ及びレシーバ１６（図２参照）を備える。センサ部１２ｃは、センサ本体１８、ベース部２０ｂ、穿刺針２２、第１貼付部２４及び第１接続部２６ｃを有する。ベース部２０ｂは、ベース部本体１１０ａと、ベース部本体１１０ａに回転可能に装着された回転体１１２と、回転体１１２に設けられた装着部１１４ａとを含む。ベース部本体１１０ａは、支持板３２と、支持板３２の外縁部から第１貼付部２４とは反対側に突出した複数（図１１では４個）の突出部１１６と、各突出部１１６の突出端部に設けられた複数（図１１では４個）の装着爪１１８と、を有する。
【００９３】
複数の突出部１１６及び装着爪１１８は、周方向に等間隔に配置されている。回転体１１２は、支持板３２、突出部１１６及び装着爪１１８を覆うように横断面が略Ｕ字状に形成されている。回転体１１２の内周面には、装着爪１１８に係合する円環状の内方凸部１２０が設けられている。装着爪１１８と内方凸部１２０との係合によって、回転体１１２のベース部２０ｂに対する支持板３２の厚み方向の移動が規制される。
【００９４】
装着部１１４ａは、回転体１１２の外周部から径方向外方に突出した外方延出部１２２ａと、外方延出部１２２ａの突出端部から上方に延出した装着凸部１２４とを含む。外方延出部１２２ａは、幅広の板状部である。装着凸部１２４は、外方延出部１２２ａの全幅に亘って延在している。装着凸部１２４の外面には、装着凸部１２４を周回するようにシール部材１４２が装着されている。
【００９５】
第１接続部２６ｃは、装着部１１４ａに設けられた第１導体部４０ｃと第２導体部４４ｃとを有する。ベース部２０ｂは、第１電極２８に導通された第１中間パターン１２６と、第１中間パターン１２６と第１導体部４０ｃとを互いに導通させる第１中間プローブ１２８と、第２電極３０に導通された第２中間パターン１３２と、第２中間パターン１３２と第２導体部４４ｃとを互いに導通させる第２中間プローブ１３４とを含む。
【００９６】
第１中間パターン１２６は上述した第１導電パターン４０ｂと同様に構成され、第２中間パターン１３２は上述した第２導電パターン４４ｂと同様に構成されている。第１中間プローブ１２８及び第２中間プローブ１３４のそれぞれは、上述した第１プローブ６０ｂ及び第２プローブ６２ｂと同様に構成されたスプリングプローブであって、回転体１１２の内面に固定された支持部１３８によって支持されている。第１中間プローブ１２８は、第１中間パターン１２６を周方向にスライド可能に第１貼付部２４側に押圧し、第２中間プローブ１３４は、第２中間パターン１３２を周方向にスライド可能に第１貼付部２４側に押圧している。
【００９７】
第１導体部４０ｃ及び第２導体部４４ｃは、回転体１１２及び装着部１１４ａの壁部内を通り、その端部が装着凸部１２４のうち回転体１１２に対向する面に露出している。第１導体部４０ｃ及び第２導体部４４ｃのそれぞれの露出部分は、シール部材１４２よりも上方に位置している。
【００９８】
検出部１４ｃは、ボディ４６ｂ、第２貼付部４８、第２接続部５０ｃ、バッテリ５２及び検出制御部５４を有する。ボディ４６ｂの底面には、装着凸部１２４が嵌入可能な装着凹部１４０が形成されている。すなわち、ボディ４６ｂは、第２貼付部４８の皮膚Ｓ１に対する貼付面に直交する方向に装着部１１４ａに対して着脱可能である。装着凸部１２４が装着凹部１４０に嵌入された状態で、装着凸部１２４の外面と装着凹部１４０の内面との間は、シール部材１４２によって液密及び気密にシールされる。
【００９９】
第２接続部５０ｃの第３導体部６０ｃと第４導体部６２ｃのそれぞれは、装着凹部１４０の内面に露出している。図１１及図１２に示すように、第３導体部６０ｃは、装着凹部１４０に装着凸部１２４が挿入された状態で第１導体部４０ｃに導通する。第４導体部６２ｃは、装着凹部１４０に装着凸部１２４が挿入された状態で第２導体部４４ｃに導通する。第３導体部６０ｃ及び第４導体部６２ｃのそれぞれは、ボディ４６ｂの壁部内を通って検出制御部５４に導通されている。
【０１００】
次に、本実施形態の作用効果について以下に説明する。
【０１０１】
ベース部２０ｂの装着部１１４ａからボディ４６ｂを取り外し、回転体１１２をベース部本体１１０ａに対して所定角度（例えば、９０°）回転させた状態で装着部１１４ａにボディ４６ｂを再装着することができる（図１３参照）。この際、図１２に示すように、第１導体部４０ｃと第３導体部６０ｃとが互いに導通するとともに第２導体部４４ｃと第４導体部６２ｃとが互いに導通するため、センサ本体１８によって取得された電気信号を検出制御部５４に確実に伝達することができる。よって、センサ本体１８を生体Ｂから抜去することなく皮膚Ｓ１に対する第２貼付部４８の貼付位置を変更することができる。
【０１０２】
ベース部２０ｂは、ベース部本体１１０ａに対して回転可能に設けられた回転体１１２と、回転体１１２に設けられてボディ４６ｂが着脱可能な装着部１１４ａとを有している。そのため、回転体１１２をベース部本体１１０ａに対して周方向に回転させることにより、ボディ４６ｂの貼付位置を容易に変更して装着部１１４ａに装着することができる。
【０１０３】
ベース部２０ｂは、ベース部本体１１０ａに設けられてセンサ本体１８に導通されて周方向に延在した第１中間パターン１２６及び第２中間パターン１３２と、回転体１１２に設けられて第１中間パターン１２６と第１導体部４０ｃとを互いに導通させる第１中間プローブ１２８と、回転体１１２に設けられて第２中間パターン１３２と第２導体部４４ｃとを互いに導通させる第２中間プローブ１３４とを有している。これにより、簡易な構成により、回転体１１２をベース部本体１１０ａに対して回転させた場合でも、ボディ４６ｂを装着部１１４ａに装着したときに第１接続部２６ｃと第２接続部５０ｃとを互いに導通させることができる。
【０１０４】
（変形例）
次に、生体情報検出装置１０Ｃの変形例について説明する。図１４に示すように、回転体１１２の内周面には、装着爪１１８が配置される複数の（図１４では８個）の凹状の配置部１４４と、隣接する配置部１４４の間に設けられた複数（図１４では８個）の案内凸部１４６とが設けられている。
【０１０５】
複数の配置部１４４は、回転体１１２の周方向に等間隔に設けられている。各配置部１４４は、装着爪１１８の形状に対応した形状を有する。案内凸部１４６には、配置部１４４を構成する壁面１４４ｓから周方向の一方側（図１４の反時計回り）に向かって径方向内方に傾斜した平坦な傾斜面１４６ｓ１と、傾斜面１４６ｓ１から径方向外方に向かって配置部１４４の壁面１４４ｓまで延びた平坦なストッパ面１４６ｓ２とが設けられている。ストッパ面１４６ｓ２は、配置部１４４に位置する装着爪１１８部の周方向の一方側への回転を許容し、配置部１４４に位置する装着爪１１８部に接触して装着爪１１８部の周方向の他方側への回転を規制する回転規制部として機能する。
【０１０６】
このような変形例では、図１４において、回転体１１２をベース部本体１１０ａに対して時計回りに回転させると、各装着爪１１８は、傾斜面１４６ｓ１によって径方向内方に押されて弾性変形し、周方向に４５°回転した位置で元の形状に復帰して隣接する配置部１４４内に配置される。この際、装着爪１１８は、配置部１４４の壁面１４４ｓに当たることによりクリック音が発生する。すなわち、ベース部２０ｂは、回転体１１２を所定角度回転させる毎にクリック音を発生させる音発生機構１４７を有している。
【０１０７】
次に、本実施形態の作用効果について以下に説明する。
【０１０８】
本実施形態によれば、装着爪１１８は、ベース部本体１１０ａに対して回転体１１２を回転させることにより、案内凸部１４６によって径方向内方に弾性変形し、案内凸部１４６を乗り越えたときに元の形状に復帰して配置部１４４の壁面１４４ｓに当たり音が発生する。そのため、ユーザは、装着爪１１８が配置部１４４の壁面１４４ｓに当たった際のクリック音により回転体１１２（装着部１１４ａ）がベース部本体１１０ａの周方向に所定角度だけ回転したことを容易且つ確実に知ることができる。
【０１０９】
また、案内凸部１４６には、配置部１４４に位置する装着爪１１８の周方向の一方側への回転を許容し、配置部１４４に位置する装着爪１１８の周方向の他方側への回転を規制するストッパ面１４６ｓ２が形成されている。これにより、ベース部本体１１０ａに対して回転体１１２や装着部１１４ａは一方向のみに回転することとなるため、皮膚Ｓ１に対するボディ４６ｂの第２貼付部４８の貼付位置を効率的にずらすことができる。
【０１１０】
本変形例において、装着爪１１８、配置部１４４、案内凸部１４６のそれぞれの数は、任意に設定可能である。
【０１１１】
（第４実施形態）
次に、本発明の第４実施形態に係る生体情報検出装置１０Ｄについて説明する。なお、図１５において、第１電極２８と第２電極３０とを明確に区別するために、便宜上、第２電極３０を破線で示す。図１５及び図１６に示すように、生体情報検出装置１０Ｄは、センサ部１２ｄ、検出部１４ｃ及びレシーバ１６（図２参照）を備える。センサ部１２ｄは、センサ本体１８、ベース部２０ｃ、穿刺針２２、第１貼付部２４及び第１接続部２６ｄを有する。ベース部２０ｃは、ベース部本体１１０ｂと、ベース部本体１１０ｂに装着された蓋部１１３と、ベース部本体１１０ｂに設けられた複数（図１６では４つ）の装着部１１４ｂと、装着部１１４ｂに着脱可能なカバー部１５０とを含む。複数の装着部１１４ｂは、ベース部本体１１０ｂの支持板３２の周方向に等間隔（周方向に９０°の間隔）に設けられている。なお、蓋部１１３は、ベース部本体１１０ｂに対して回転しない。
【０１１２】
各装着部１１４ｂは、支持板３２の外周部から径方向外方に突出した外方延出部１２２ｂと、外方延出部１２２ｂの突出端部から上方に延出した装着凸部１２４とを含む。装着凸部１２４には、シール部材１４２が設けられている。
【０１１３】
第１接続部２６ｄの第１導体部４０ｄは、ベース部本体１１０ｂ及び装着部１１４ｂの壁部内に配設された配線により第１電極２８に導通された状態で各装着部１１４ｂの装着凸部１２４における蓋部１１３に対向する面に露出している。第１接続部２６ｄの第２導体部４４ｄは、ベース部本体１１０ｂ及び装着部１１４ｂの壁部内に配設された配線により第２電極３０に導通された状態で各装着部１１４ｂの装着凸部１２４における蓋部１１３に対向する面に露出している。
【０１１４】
第２接続部５０ｃの第３導体部６０ｃと第４導体部６２ｃのそれぞれは、装着凹部１４０の内面に露出しており、装着凹部１４０に装着凸部１２４が挿入された状態で、第３導体部６０ｃは第１導体部４０ｄに、第４導体部６２ｃは第２導体部４４ｄにそれぞれ導通する。第３導体部６０ｃ及び第４導体部６２ｃのそれぞれは、ボディ４６ｂの壁部内を通って検出制御部５４に導通されている。
【０１１５】
カバー部１５０は、ボディ４６ｂが装着されていない残余の３つの装着部１１４ｂの装着凸部１２４に被せられる。カバー部１５０は、平面視で略Ｃ字状に形成されており、１つの部材により、３つの装着部１１４ｂの装着凸部１２４を覆うことが可能になっている（図１７参照）。ただし、カバー部１５０は、各装着部１１４ｂに別々に設けてもよい。
【０１１６】
次に、本実施形態の作用効果について以下に説明する。
【０１１７】
ベース部２０ｃの装着部１１４ｂから取り外したボディ４６ｂを別の装着部１１４ｂに装着することができる。この際、ボディ４６ｂが装着された装着部１１４ｂに露出している第１導体部４０ｄと第３導体部６０ｃとが互いに連通するとともに当該装着部１１４ｂに露出している第２導体部４４ｄと第４導体部６２ｃとが互いに導通するため、センサ本体１８によって取得された電気信号を検出制御部５４に確実に伝達させることができる。よって、センサ本体１８を生体Ｂから抜去することなく皮膚Ｓ１に対する第２貼付部４８の貼付位置を変更することができる。
【０１１８】
ベース部２０ｃは、ベース部本体１１０ｂに設けられてボディ４６ｂが装着可能な複数の装着部１１４ｂを有している。そのため、ユーザは、複数の装着部１１４ｂからボディ４６ｂを装着する装着部１１４ｂを選択することができる。これにより、ベース部２０ｃに対して複数の向きでボディ４６ｂを装着することができる。
【０１１９】
（第１変形例）
次に、本実施形態に係る生体情報検出装置１０Ｄの第１変形例について説明する。図１８に示すように、生体情報検出装置１０Ｄは、ベース部２０ｃに対するボディ４６ｂの装着位置を検出する装着位置検出部１００ｂを備える。装着位置検出部１００ｂは、各装着部１１４ｂの装着凸部１２４に設けられた複数（図１８では４つ）の第１位置検出導電部１０２ｂと、各第１位置検出導電部１０２ｂと第２導体部４４ｄとを結ぶ複数の電気抵抗部１０４ｂと、ボディ４６ｂの装着凹部１４０が装着凸部１２４に挿入された状態で複数の第１位置検出導電部１０２ｂの１つに電気的に接触する第２位置検出導電部１０６ｂとを有する。複数の電気抵抗部１０４ｂは、互いに異なる電気抵抗値を有している。
【０１２０】
検出制御部５４は、ボディ４６ｂの装着凹部１４０が装着凸部１２４に挿入された際に、第２位置検出導電部１０６ｂが接触している第１位置検出導電部１０２ｂと第２導体部４４ｄとを結ぶ電気抵抗部１０４ｂの電気抵抗値を検出することにより、ベース部２０ｃに対するボディ４６ｂの装着位置（複数の装着部１１４ｂのうちのどの装着部１１４ｂにボディ４６ｂが装着されたのか）を判定する。そして、ボディ４６ｂの装着位置情報は、検出制御部５４からレシーバ制御部７２に無線送信され、レシーバ制御部７２は、レシーバ１６の表示部７４にボディ４６ｂの位置情報を表示させる。この際、レシーバ制御部７２は、今回のボディ４６ｂの装着位置が以前に装着したことがある装着位置であった場合、その旨を表示部７４に表示したりスピーカ７８から音を出したりすることによりユーザに注意喚起してもよい。
【０１２１】
本変形例によれば、ユーザは、ベース部２０ｃに対してボディ４６ｂの向きを変えて装着した際に、既に装着された位置であるか否かをユーザに知らせることができる。これにより、ユーザは、皮膚Ｓ１に対する第２貼付部４８の貼付位置を効率的に変更することができる。
【０１２２】
（第２変形例）
次に、本実施形態に係る生体情報検出装置１０Ｄの第２変形例について説明する。図１９Ａ及び図１９Ｂに示すように、生体情報検出装置１０Ｄの各装着部１１４ｂは、ベース部本体１１０ｂに対して径方向にスライド可能に構成されている。この場合、使用していない複数の装着部１１４ｂは、蓋部１１３内に収納することができるため、第１接続部２６ｄのうち各装着部１１４ｂに露出している部分に異物が付着することを抑えることができる。本変形例では、第１変形例で示した装着位置検出部１００ｂを備えていてもよい。
【０１２３】
本実施形態において、装着部１１４ｂの数は、２以上であれば任意に変更可能である。
【０１２４】
なお、上述の生体情報検出装置においては、ボディをベース部に装着した状態で、第１接続部と第２接続部とが互いに導通する構成としたが、ＲＦＩＤタグ等を用いた近接無線通信手段によって、センサ本体によって取得された測定信号を検出制御部に伝達する構成としてもよい。この場合、第１接続部及び第２接続部は省略してもよく、例えば、センサ本体に電圧を印加する電圧印加部をセンサ部に設け、前記近接無線通信手段によって検出制御部が前記電圧印加部を制御することによって、センサ本体に電圧を印加させることができる。このような構成によれば、第１接続部及び第２接続部について、防水性や異物付着に対する耐性を向上させることができる。
【０１２５】
本発明に係る生体情報検出装置は、上述の実施形態に限らず、本発明の要旨を逸脱することなく、種々の構成を採り得ることはもちろんである。
【符号の説明】
【０１２６】
１０Ａ〜１０Ｄ…生体情報検出装置    １２ａ〜１２ｄ…センサ部
１４ａ〜１４ｃ…検出部              １８…センサ本体
２０ａ〜２０ｃ…ベース部            ２４…第１貼付部
２６ａ〜２６ｄ…第１接続部          ４６ａ、４６ｂ…ボディ
４８…第２貼付部（貼付部）          ５０ａ〜５０ｃ…第２接続部
５４…検出制御部
【図１】
2018126275.tif 000003
【図２】
2018126275.tif 000004
【図３】
2018126275.tif 000005
【図４】
2018126275.tif 000006
【図５】
2018126275.tif 000007
【図６】
2018126275.tif 000008
【図７】
2018126275.tif 000009
【図８】
2018126275.tif 000010
【図９】
2018126275.tif 000011
【図１０】
2018126275.tif 000012
【図１１】
2018126275.tif 000013
【図１２】
2018126275.tif 000014
【図１３】
2018126275.tif 000015
【図１４】
2018126275.tif 000016
【図１５】
2018126275.tif 000017
【図１６】
2018126275.tif 000018
【図１７】
2018126275.tif 000019
【図１８】
2018126275.tif 000020
【図１９】
2018126275.tif 000021